(57)【要約】【課題】携行中に記録メデイアが落下したり、埃や塵などが進入するのを防ぐことができる上、記録メデイアを挿抜する操作が容易なカメラを提供する。【解決手段】挿入口１５ａを有し、被写体を撮影して画像データを得、挿入状態にある記録メデイア３０に画像データを記録するカメラにおいて、挿入口を開閉自在に塞ぐ蓋体１２と、挿入状態にある記録メデイア３０の取り出し用に操作されて所定の操作ストローク移動するイジェクト釦１３と、閉状態にある蓋体１２に係合して開くのを阻止するとともに、イジェクト釦１３の操作ストローク途中までの第１ステップの移動により、係合を解除し、第１ステップに連続する第２ステップの移動により、挿入状態にある記録メデイア３０を挿入口から突出させる記録メデイア抜き取り機構１６、１７を備えた。【選択図】      図４
2004297594.tif 000002
【特許請求の範囲】
【請求項１】
記録メデイアが挿抜自在に挿入される挿入口を有し、被写体を撮影して画像データを得、挿入状態にある記録メデイアに該画像データを記録するカメラにおいて、
前記挿入口を開閉自在に塞ぐ蓋体と、
挿入状態にある記録メデイアの取り出し用に操作されて所定の操作ストローク移動するイジェクト釦と、
閉状態にある前記蓋体に係合して該蓋体が開くのを阻止するとともに、前記イジェクト釦の前記操作ストローク途中までの第１ステップの移動により、該係合を解除し、該イジェクト釦の、該第１ステップの移動に連続する第２ステップの移動により、挿入状態にある記録メデイアを前記挿入口から突出させる記録メデイア抜き取り機構を備えたことを特徴とするカメラ。
【請求項２】
前記イジェクト釦が、前記記録メデイアの前記挿入口への挿入方向に移動自在であるとともに、該記録メデイアが前記挿入口から抜き出される抜出方向に付勢され、該挿入方向に移動するように操作されるものであって、
前記記録メデイア抜き取り機構が、
中央が軸支され、一端が前記イジェクト釦に係合して該イジェクト釦の移動に伴って移動し、他端が閉状態にある前記蓋体に係合して該蓋体が開くのを阻止するとともに、該イジェクト釦の、前記第１ステップの移動により該蓋体との係合を解除する係合部材と、
中央が軸支され、前記イジェクト釦の前記第２ステップの移動により一端が押されて回動し、挿入状態にある記録メデイアを他端で押すことにより該記録メデイアを前記挿入口から突出させるレバー部材とを備えたものであることを特徴とする請求項１記載のカメラ。
【請求項３】
前記蓋体は、開放方向に付勢力を受け、前記係合部材との係合の解除により、該付勢力で開くものであることを特徴とする請求項２記載のカメラ。
【発明の詳細な説明】
【０００１】
【発明の属する技術分野】
本発明は、被写体を撮影して画像データを得、挿入状態にある記録メデイアに該画像データを記録するカメラに関する。
【０００２】
【従来の技術】
従来、デジタルカメラやビデオカメラにおいては、被写体で反射し撮像レンズに入射した光を固体撮像素子（デジタルカメラやビデオカメラには、ＣＣＤ撮像素子が多用されているので、以下では、ＣＣＤ撮像素子が用いられるものとし、「ＣＣＤ」と略称する。）の受光面に結像させ、ＣＣＤに用いられるホトダイオード等に光量分布を電荷として蓄積し、蓄積された電荷量を所定のタイミングで読み出して液晶パネルに画像表示している。そして、シャッタスイッチが押されると、ＣＣＤに蓄積された電荷量を読み出してデジタル変換した画像データに、ＪＰＥＧ圧縮処理などを施し、内蔵するカード状の記録メディア（半導体メモリ）に記録する。
【０００３】
この記録メデイアは、所定の記憶容量を持ち、カメラ本体に設けられた挿入口から挿入されることにより格納部に装着されるようになっている。そして、例えば所定容量見合いの被写体が記録されると、挿入口から抜き取られ、新たな記録メデイアが挿入される。また、記録された被写体をプリンタを用いて出力したり、パーソナルコンピユータ（以下、「ＰＣ」と呼ぶ。）で編集、再生などを行なう場合にも、挿入口から抜き取られる。
【０００４】
このように、記録メデイアは、カメラから抜き取られたり、挿入されたりする機会が多いので、記録メディアを挿抜する機構は、できるだけ簡単であることが望ましい。
【０００５】
しかし、挿入口に蓋を設けずに、挿入された記録メディアを、内部の接触端子との摩擦力のみで固定するように構成されたカメラでは、取り付けられたハンドストラップ等により、挿入口が下向きになるようにしてカメラがぶら下げられると、記録メデイアがその挿入口から落下する恐れがある。一方、挿入口が上向きになるようにしてカメラがぶら下げられると、埃や塵等の異物がその挿入口から侵入するという問題がある。
【０００６】
そこで、イジェクト釦の自重によって記録メデイアをロックするとともに、イジェクト釦を自重とは反対方向に操作することによりロックを解除するロック機構を設けたものがある（特許文献１参照）。
【０００７】
しかしながら、特許文献１に開示された技術によれば、イジェクト釦にある程度の重量を持たせる必要がある。また、記録メデイアをロックするためには、記録メディアの側面側に、略Ｖ字形状の係合溝部を設ける必要もある。さらに、挿入口をたとえ上向きにしない場合であっても、蓋が設けられていない以上、埃や塵等の侵入を回避することは困難である。
【０００８】
そこで、挿入口に蓋を設けるとともに、挿入口からわずかに突き出した状態で記録メデイアがロックされ、蓋を開けた後に、わずかに突き出した記録メデイアを押し込むと内部に設けられた付勢部材のロックが解除されて記録メデイアが飛び出すようにした機構が多用されている。
【０００９】
しかしながら、記録メデイアをカメラから抜き出すためには、▲１▼蓋を開けて、▲２▼わずかに突き出した記録メデイアを押し込み、記録メデイアを突出させる、▲３▼突出した記録メデイアを摘んで抜き出すという、３つのアクションが必要であり、操作の迅速性に欠ける。
【００１０】
わずかに突き出した記録メデイアを押し込むという第２のアクションは、挿入口周囲を切り込み、蓋を開けたときに記録メデイアが摘める程度に挿入口から突出した状態にしておくことにより省く構成も考えられるが、挿入口周囲を切り込むと、カメラ内部にデッドスペースが生じるため、小型化を図る上からは不利になる。
【００１１】
一方、光磁気デイスクに記録再生を行なう装置において、本体の蓋を開けてディスクカートリッジを取り出す際に、ディスクカートリッジの前面に指が接触し使い勝手が悪いという問題や、一度蓋から指を外し、排出されたディスクカートリッジを改めて把持してホルダーから引抜くので、ディスクカートリッジの取り出しが面倒であるという問題を解決するため、操作釦に宛てがった中指又は人差し指と親指とによって本体筐体の蓋のロックおよびホルダーのロックとを解除できるようし、ホルダーに設けたばねの付勢力で中指又は人差し指と、親指とにより形成された空間にディスクカートリッジが排出されるように構成されたイジェクト機構がある（特許文献２参照）。
【００１２】
しかしながら、本体筐体を開閉して記録メデイアを挿抜する機構を、筐体の両面それぞれにレンズ又はモニタ画面などが配置されたカメラに適用するのは容易ではない。
【００１３】
【特許文献１】
特開平５−１４５８８１号公報（段落番号００１９〜段落番号００２７、図１〜図５）
【特許文献２】
特開２０００−１８２３０７号公報（段落番号００５１〜段落番号００５６）
【００１４】
【発明が解決しようとする課題】
本発明は、上記事情に鑑み、携行中に記録メデイアが落下したり、埃や塵などが進入するのを防ぐことができる上、記録メデイアの挿抜を迅速に、容易に行うことが可能なカメラを提供することを目的とする。
【００１５】
【課題を解決するための手段】
上記目的を達成する本発明のカメラは、記録メデイアが挿抜自在に挿入される挿入口を有し、被写体を撮影して画像データを得、挿入状態にある記録メデイアに該画像データを記録するカメラにおいて、
上記挿入口を開閉自在に塞ぐ蓋体と、
挿入状態にある記録メデイアの取り出し用に操作されて所定の操作ストローク移動するイジェクト釦と、
閉状態にある上記蓋体に係合して該蓋体が開くのを阻止するとともに、上記イジェクト釦の上記操作ストローク途中までの第１ステップの移動により、該係合を解除し、該イジェクト釦の、該第１ステップの移動に連続する第２ステップの移動により、挿入状態にある記録メデイアを上記挿入口から突出させる記録メデイア抜き取り機構を備えたことを特徴とする。
【００１６】
このように、挿入口から記録メデイアを挿入した後に、挿入口は蓋体で塞がれるので、埃や塵の進入、記録メデイアの落下が防止できる。また、蓋体が開かないようにロックしたり、イジェクト釦を操作することによりそのロックを解除して挿入状態の記録メデイアを挿入口から突出させる機構を備えているので、記録メデイアの抜き出しを、迅速、かつ容易に行うことができる。
【００１７】
ここで、上記イジェクト釦が、上記記録メデイアの上記挿入口への挿入方向に移動自在であるとともに、該記録メデイアが前記挿入口から抜き出される抜出方向に付勢され、該挿入方向に移動するように操作されるものであって、
上記記録メデイア抜き取り機構が、
中央が軸支され、一端が前記イジェクト釦に係合して該イジェクト釦の移動に伴って移動し、他端が閉状態にある前記蓋体に係合して該蓋体が開くのを阻止するとともに、該イジェクト釦の、前記第１ステップの移動により該蓋体との係合を解除する係合部材と、
中央が軸支され、前記イジェクト釦の上記第２ステップの移動により一端が押されて回動し、挿入状態にある記録メデイアを他端で押すことにより該記録メデイアを前記挿入口から突出させるレバー部材とを備えたものであることが好ましい。
【００１８】
このように、イジェクト釦が、抜出方向に付勢されていれば、操作者は、挿入方向への操作のみでよく、また、記録メデイア抜き取り機構がイジェクト釦の移動によって蓋体との係合を解除する係合部材と、記録メデイアを挿入口から突出させるレバー部材とを備えることにより、イジェクト釦の、挿入方向への一回の操作によって、蓋体のロックを解除し、続いて、挿入状態の記録メデイアを挿入口から突出させることができる。
【００１９】
また、上記蓋体は、開放方向に付勢力を受け、上記係合部材との係合の解除により、該付勢力で開くものであることも好ましい態様である。
【００２０】
このように、蓋体に開放方向に付勢力を与えておくことにより、係合が解除されると蓋体が自動的に開放状態となる。
【００２１】
【発明の実施の形態】
以下、本発明のカメラの実施形態について説明する。
【００２２】
図１は、本実施形態のカメラを斜め前方から見た外観図であり、図２は、図１に示すカメラを、本発明の特徴部分がわかるように下向きにして示した外観図である。
【００２３】
図１および図２に示すカメラは、正面部１、底面部２、側面部３、背面部４からなり、正面部１には、被写体を撮影するレンズ１１ａが内蔵された鏡胴１１と、閃光を発するフラッシュ１４とを有し、底面部２には、記録メデイアを挿抜する挿入口を塞ぐ蓋体１２を有し、背面部４には、液晶モニタ画面５、ファインダ６、矢印Ａ−Ｂ方向に移動し、蓋体１２を開けたり、挿入口から記録メデイアを突出させるイジェクト釦１３が備えられている。
【００２４】
図示していないが、カメラの内部には、レンズ１１ａにより結像された被写体からの反射光の光量分布に基づく電荷量を蓄積するＣＣＤと、ＣＣＤから電荷量を読み出してデジタル信号に変換し、ＪＰＥＧ圧縮処理を施した画像データを記録する記録メディアと、ＣＣＤから読み出したデジタル信号を処理し液晶モニタ画面５に被写体を表示するＬＣＤ表示部とを備えている。
【００２５】
このカメラに、未だ記録メディアが挿入されていない状態の場合は、先ず、蓋体１２を開けて記録メディアを挿入口から挿入する。その後、このカメラで被写体を撮影するにあたっては、電源を投入し、被写体に合わせてモード選択ダイヤルをセットする。レンズ１１を被写体に向けると共に、液晶モニタ画面５で被写体を確認するか、又は被写体をファインダ６で覗き、シャッタを押す。そのとき、ＣＣＤから読み出され、ＪＰＥＧ圧縮処理を施した画像データが記録メディアに記録される。
【００２６】
図３および図４は、記録メデイアを挿入口に挿入したり、挿入口から抜き取る状態を示す図である。
【００２７】
カメラに記録メデイアを挿入するときは、図３に示すように、イジェクト釦１３を矢印Ａ方向にわずかに移動（本発明の第１ステップの移動に相当する。）させることにより蓋体１２を開け、挿入口１５ａに記録メデイア３０を差し込んで、指で押し込む。
【００２８】
カメラから記録メデイア３０を抜き出すときは、図４に示すように、イジェクト釦１３を矢印Ａ方向にわずかに移動（本発明の「第１ステップの移動」に相当する。）させることにより蓋体１２を開けた後、イジェクト釦１３を矢印Ａ方向に、さらに移動（本発明の「第２ステップの移動」に相当する。）させることにより、記録メデイア３０を挿入口１５ａから突出させ、突出した記録メデイア３０を指で摘んで引抜く。
【００２９】
したがって、イジェクト釦１３を矢印Ａ方向に移動させるという第１のアクションと、突き出した記録メデイア３０を指で摘んで引抜くという第２のアクションとによって、カメラから記録メデイア３０を簡単に抜き出すことができる。
【００３０】
図５および図６は、カメラの蓋体を開けたり、記録メデイアを挿入口から突出させる記録メディア抜き取り機構の概略図であり、図５は、断面図、図６は、側面図を示す。
【００３１】
図５に示す断面図には、カメラの側面部筐体３ａと、底面部筐体２ａと、蓋体１２と、挿入口１５ａを有し記録メデイア３０を挿抜自在に収納する格納部１５と、矢印Ａ−Ｂ方向に移動し、蓋体１２を開けたり、挿入口１５ａから記録メデイア３０を突出させるイジェクト釦１３とが示されている。
【００３２】
蓋体１２には、係合部１６ｂに係合する係止部１２ａと、底面部筐体２ａに蝶着する蝶番１２ｂとが設けられている。そして蓋体１２は、板ばね１２ｃによる開放方向の付勢力を受けているので、係合部１６ｂによる係止部１２ａとの係合が解除されると蓋体１２を自動的に開く。一方、開放状態にある蓋体をその付勢力に抗して閉めると、係止部１２ａに係合部１６ｂが係合するとロックされ、挿入口１５ａが塞がれる。
【００３３】
カメラ内部には、記録メデイア抜き取り機構が設けられている。この記録メデイア抜き取り機構は、中央部１６ｃが回動自在に軸支され、一端に、イジェクト釦１３に回動自在に支持される回動部１６ａが設けられ、他端に、係止部１２ａを係合する係合部１６ｂが設けられた係合部材１６と、中央部１７ｃが回動自在に軸支され、一端１７ａが、矢印Ｂ方向に移動したイジェクト釦１３の端部１３ａと所定の間隔を空けた位置に配置され、他端１７ｂが、挿入口１５ａから格納部１５に収納された記録メデイア３０に当接する位置に配置されたレバー部材１７とを備えている。
【００３４】
イジェクト釦１３が矢印Ａ方向へ第１ステップの移動を行うと、係合部材１６は、矢印Ｃ方向に回動し、係合部１６ｂの係止部１２ａヘの係合が解除される。係止部１２ａへの係合が解除されると、蓋体１２は、蝶番１２ｂを中心に、板ばね１２ｃの付勢力で回転し、挿入口１５ａを開く。
【００３５】
第１ステップの移動に連続して、イジェクト釦１３を矢印Ａ方向へ第２ステップの移動を行うと、イジェクト釦の端部１３ａがレバー部材の一端１７ａを押して、レバー部材１７を矢印Ｄ方向に回動させるとともに、記録メデイア３０をレバー部材の他端１７ｂで矢印Ｅ方向に押すことにより記録メデイア３０を挿入口１５ａから突出させる。
【００３６】
一方、イジェクト釦１３は、図示しないばねの付勢力により矢印Ｂ方向に付勢されているので、イジェクト釦１３から指を離すとイジェクト釦１３は自動的に矢印Ｂ方向に戻る。そして、係合部材１６は、中央部１６ｃを中心にして矢印Ｃ方向とは逆向きに回動する。
【００３７】
そして、蓋体１２を閉じると、係止部１２ａは、中央部１６ｃを中心にして回動した係合部１６ｂに係合されてロックされる。
【００３８】
ここで、イジェクト釦１３から指を離し、イジェクト釦１３が矢印Ｂ方向に完全に戻った状態におけるイジェクト釦の端部１３ａとレバー部材１７の一端１７ａとの間の距離は、イジェクト釦１３が矢印Ａ方向に第１ステップの移動を行って、係合部１６ｂによる係止部１２ａへの係合が解除されたときに、イジェクト釦の端部１３ａがレバー部材１７の一端１７ａに当接するように設定することが好ましい。また、イジェクト釦１３が矢印Ａ方向に第２ステップの移動を行う距離は、レバー部材１７を矢印Ｄ方向に回動させ、記録メデイア３０を挿入口１５ａから突出させたときに、記録メデイアを指で充分摘める程度にすることが好ましい。
【００３９】
図６に側面を示すイジェクト釦１３は、カメラの背面部筐体４ａの凹部分４ｂに移動自在に設けられるとともに、凹部分４ｂによって矢印Ａ−Ｂ方向への移動可能範囲が規制されている。
【００４０】
イジェクト釦１３には、矢印Ａ方向に突き出した棒状部材１３ｂと、カメラの背面部筐体４ａと平行な支持部材１３ｃとが一体成形されている。棒状部材１３ｂには、コイル状のばね１８が嵌め込まれており、その棒状部材１３ｂを、背面部筐体４ａに設けられた突起部４ｃの小穴４ｄに貫通させている。
【００４１】
したがって、イジェクト釦１３をユーザが指で押して矢印Ａ方向に移動させると、コイル状のばね１８が収縮し、ユーザが指を離すと収縮したばね１８の付勢力でイジェクト釦１３が矢印Ｂ方向に戻る。
【００４２】
支持部材１３ｃには、係合部材１６（図５参照）の回動部１６ａが、回動自在に支持されるとともに、支持部材１３ｃと所定距離だけ離間させて、図５に示すレバー部材１７の一端１７ａが配置されている。
【００４３】
したがって、イジェクト釦１３をユーザが指で押すことにより矢印Ａ方向に第１ステップの移動を行うと回動部１６ａが回動し、係合部材１６の他端に備える係合部１６ｂの、係止部１２ａへの係合が解除される。そして、第１ステップの移動に連続して、さらに第２のステップの移動を行うと、レバー部材１７の一端１７ａがイジェクト釦の端部１３ａに押されて、レバー部材１７を矢印Ｄ方向に回動する。ユーザがイジェクト釦１３から指を離すと、コイル状のばね１８の付勢力によりイジェクト釦１３が矢印Ｂ方向に移動し、イジェクト釦１３は元位置に戻る。そして回動部１６ａが回動し、係合部材１６の他端に備える係合部１６ｂと、係止部１２ａとの係合が可能な状態になる。
【００４４】
本実施形態の蓋体１２には、蝶番１２ｂが底面部筐体２ａの中央寄りに設けられているが、側面部筐体３ａ寄りに設けることもできる。また、蓋体１２の蝶番１２ｂが設けられた位置の近傍に係止部１２ａが備えられているが、蝶番１２ｂが設けられた位置の反対側に係止部１２ａを設けることもできる。また、イジェクト釦１３を背面部４に備えているが、必ずしも背面部４に備える必要はなく、イジェクト釦１３を、例えば押釦式とすることにより、底面部２に備えることもできる。
【００４５】
本実施形態では、記録メデイア抜き取り機構が、蓋体と係合したり、係合を解除する係合部材と、記録メデイアを突出させるレバー部材とを備えているが、必ずしもこの構成に限定する必要はなく、イジェクト釦の操作ストロークに合わせて、蓋体との係合を解除したり、記録メデイアを突出させることができる機構であればよい。
【００４６】
【発明の効果】
以上、説明したように、本発明のカメラによれば、挿入口から記録メデイアを挿入した後に蓋体で挿入口を塞ぐので、埃や塵の進入、記録メデイアの落下が防止できる。また、蓋体に係合して蓋体が開かないようにロックするとともに、そのロックを解除したり、挿入状態の記録メデイアを挿入口から突出させる記録メデイア抜き取り機構を備え、イジェクト釦の操作ストロークによって、蓋体のロックの解除と挿入状態の記録メデイアの挿入口からの突き出しとを行うので、記録メデイアの抜き出しを、迅速、かつ容易に行うことができる。
【図面の簡単な説明】
【図１】本実施形態のカメラを示す概略構成図である。
【図２】本実施形態のカメラを示す概略構成図である。
【図３】記録メデイアを挿入口に挿入したり、挿入口から抜き取る状態を示す図である。
【図４】記録メデイアを挿入口に挿入したり、挿入口から抜き取る状態を示す図である。
【図５】カメラの蓋体を開けたり、記録メデイアを挿入口から突出させる記録メディア抜き取り機構の概略図（断面図）である。
【図６】カメラの蓋体を開けたり、記録メデイアを挿入口から突出させる記録メディア抜き取り機構の概略図（側面図）である。
【符号の説明】
１  正面部
２  底面部
２ａ  底面部筐体
３  側面部
３ａ  側面部筐体
４  背面部
４ａ  背面部筐体
４ｂ  凹部分
４ｃ  突起部
４ｄ  小穴
１１  レンズ
１２  蓋部
１２ａ  係止部
１２ｂ  蝶番
１２ｃ  板ばね
１３  イジェクト釦
１３ａ  イジェクト釦の端部
１３ｂ  棒状部材
１３ｃ  支持部材
１５  格納部
１５ａ  挿入口
１６  係合部材
１６ａ  回動部
１６ｂ  係合部
１７  レバー部材
１７ａ  一端
１７ｂ  他端
１７ｃ  中央部
１８  コイル状のばね
３０  記録メデイア
【図１】
2004297594.tif 000003
【図２】
2004297594.tif 000004
【図３】
2004297594.tif 000005
【図４】
2004297594.tif 000006
【図５】
2004297594.tif 000007
【図６】
2004297594.tif 000008